(57)【要約】【課題】ユーザが所望すると予測される静止画像および動画像を連続して再生することができるようにする。【解決手段】リスト生成部９１は、ユーザにより指定されたフォルダに格納されている静止画像および動画像のうち、静止画像と、予め定められた規格に準拠した動画像とを選択して、選択した静止画像および動画像を所定の順番で連続して再生するための表示リストを生成する。静止画像表示制御部９２は、表示リストを参照して、静止画像を表示部２１に表示させ、動画像表示制御部９３は、表示リストを参照して、動画像を表示部２１に表示させる。本発明は、テレビジョン受像機に適用することができる。【選択図】図４
2008187470.tif 000002
【特許請求の範囲】
【請求項１】
静止画像および動画像のうち、所定の条件を満たすファイル名の動画像ファイルの前記動画像、または所定のファイル形式の動画像ファイルの前記動画像と、前記静止画像とを選択する選択手段と、
前記選択手段により選択された前記静止画像および前記動画像が所定の順番で連続して再生されるように、前記静止画像および前記動画像の再生を制御する再生制御手段と
を備える再生制御装置。
【請求項２】
前記選択手段は、前記ファイル名および前記ファイル形式に基づいて、予め定められた規格に準拠する前記動画像ファイルの前記動画像を選択する
請求項１に記載の再生制御装置。
【請求項３】
前記再生制御手段は、前記選択手段により選択された前記動画像の再生中に、前記静止画像および前記動画像の再生の制御を指示するときに操作される入力手段に対して、ユーザにより所定の操作がなされた場合、前記所定の順番において、再生中の前記動画像の前または次の前記静止画像または前記動画像の再生が開始されるように、再生中の前記動画像の再生を制御する
請求項１に記載の再生制御装置。
【請求項４】
前記ユーザにより指定された１つの前記動画像だけが再生されているときに前記所定の操作がなされた場合、前記選択手段により選択された前記動画像の再生中に前記所定の操作に応じてなされる再生の制御とは異なる制御がなされる
請求項３に記載の再生制御装置。
【請求項５】
前記再生制御手段は、前記選択手段により選択された前記静止画像の再生中に、前記所定の操作がなされた場合、前記所定の順番において、再生中の前記静止画像の前または次の前記静止画像または前記動画像の再生が開始されるように、再生中の前記静止画像の再生を制御する
請求項３に記載の再生制御装置。
【請求項６】
前記再生制御手段は、前記選択手段により選択された１つの前記動画像の再生が終了した場合、前記選択手段により選択された次の前記静止画像または前記動画像が再生されるように、前記静止画像および前記動画像の再生を制御する
請求項１に記載の再生制御装置。
【請求項７】
静止画像および動画像のうち、所定の条件を満たすファイル名の動画像ファイルの前記動画像、または所定のファイル形式の動画像ファイルの前記動画像と、前記静止画像とを選択手段が選択し、
前記選択手段により選択された前記静止画像および前記動画像が所定の順番で連続して再生されるように、前記静止画像および前記動画像の再生を制御する
ステップを含む再生制御方法。
【請求項８】
静止画像および動画像のうち、所定の条件を満たすファイル名の動画像ファイルの前記動画像、または所定のファイル形式の動画像ファイルの前記動画像と、前記静止画像とを選択手段が選択し、
前記選択手段により選択された前記静止画像および前記動画像が所定の順番で連続して再生されるように、前記静止画像および前記動画像の再生を制御する
ステップを含む処理をコンピュータに実行させるプログラム。
【発明の詳細な説明】
【技術分野】
【０００１】
本発明は再生制御装置および方法、並びにプログラムに関し、特に、静止画像および動画像を連続して再生することができるようにした再生制御装置および方法、並びにプログラムに関する。
【背景技術】
【０００２】
従来、静止画像を撮影するデジタルスチルカメラなどの撮影装置が知られている。このような撮影装置には、撮影した静止画像を撮影日時順等の予め定められた順番で連続して再生する、いわゆるスライドショー機能を有するものや、静止画像だけでなく動画像を撮影する機能を有するものもある。
【０００３】
また、撮影装置には、人物の顔の特徴を示す顔情報を用いて、撮影した静止画像のうち、所定の人物の顔の画像が含まれる静止画像と、人物の画像の含まれない静止画像である風景画像とを選択して再生する機能を有するものもある（例えば、特許文献１参照）。
【０００４】
【特許文献１】特開２００６−３２３６２１号公報
【発明の開示】
【発明が解決しようとする課題】
【０００５】
特に近年では、撮影装置の撮影能力の向上により、静止画像だけでなく動画像も撮影することのできる機能を有する撮影装置が普及してきており、画像をスライドショー表示するアプリケーションプログラムには、撮影された静止画像および動画像を連続して再生する機能が要求されている。
【０００６】
しかしながら、撮影装置における撮影は静止画像が中心であり、スライドショー表示の対称となる画像として、静止画像と動画像とが混在している場合においても、撮影装置は、静止画像だけを順番に再生してスライドショー表示させることしかできなかった。
【０００７】
また、パーソナルコンピュータにおいて、静止画像および動画像を所定の順番で連続して再生するアプリケーションプログラムも提案されているが、必ずしもユーザが所望する静止画像および動画像だけを再生させることはできなかった。
【０００８】
すなわち、ユーザがパーソナルコンピュータを操作して、静止画像および動画像を連続して再生させる場合、ユーザは、所望する静止画像および動画像が格納されているフォルダを指定し、そのフォルダに格納されている静止画像および動画像の再生を指示する。したがって、例えば、ユーザが、撮影装置を用いて自分自身が撮影した静止画像および動画像を連続して再生させたい場合に、撮影された静止画像および動画像と、それらの静止画像および動画像とは全く関係のない、サーバなどから取得された動画像とが格納されているフォルダが指定されたときには、撮影装置により撮影した静止画像および動画像だけでなく、全く関係のない動画像まで再生されてしまうことになる。
【０００９】
本発明は、このような状況に鑑みてなされたものであり、簡単にユーザが所望すると予測される静止画像および動画像を連続して再生することができるようにするものである。
【課題を解決するための手段】
【００１０】
本発明の一側面の再生制御装置は、静止画像および動画像のうち、所定の条件を満たすファイル名の動画像ファイルの前記動画像、または所定のファイル形式の動画像ファイルの前記動画像と、前記静止画像とを選択する選択手段と、前記選択手段により選択された前記静止画像および前記動画像が所定の順番で連続して再生されるように、前記静止画像および前記動画像の再生を制御する再生制御手段とを備える。
【００１１】
前記選択手段には、前記ファイル名および前記ファイル形式に基づいて、予め定められた規格に準拠する前記動画像ファイルの前記動画像を選択させることができる。
【００１２】
前記再生制御手段には、前記選択手段により選択された前記動画像の再生中に、前記静止画像および前記動画像の再生の制御を指示するときに操作される入力手段に対して、ユーザにより所定の操作がなされた場合、前記所定の順番において、再生中の前記動画像の前または次の前記静止画像または前記動画像の再生が開始されるように、再生中の前記動画像の再生を制御させることができる。
【００１３】
前記ユーザにより指定された１つの前記動画像だけが再生されているときに前記所定の操作がなされた場合、前記選択手段により選択された前記動画像の再生中に前記所定の操作に応じてなされる再生の制御とは異なる制御がなされるようにすることができる。
【００１４】
前記再生制御手段には、前記選択手段により選択された前記静止画像の再生中に、前記所定の操作がなされた場合、前記所定の順番において、再生中の前記静止画像の前または次の前記静止画像または前記動画像の再生が開始されるように、再生中の前記静止画像の再生を制御させることができる。
【００１５】
前記再生制御手段には、前記選択手段により選択された１つの前記動画像の再生が終了した場合、前記選択手段により選択された次の前記静止画像または前記動画像が再生されるように、前記静止画像および前記動画像の再生を制御させることができる。
【００１６】
本発明の一側面の再生制御方法またはプログラムは、静止画像および動画像のうち、所定の条件を満たすファイル名の動画像ファイルの前記動画像、または所定のファイル形式の動画像ファイルの前記動画像と、前記静止画像とを選択手段が選択し、前記選択手段により選択された前記静止画像および前記動画像が所定の順番で連続して再生されるように、前記静止画像および前記動画像の再生を制御するステップを含む。
【００１７】
本発明の一側面においては、静止画像および動画像のうち、所定の条件を満たすファイル名の動画像ファイルの前記動画像、または所定のファイル形式の動画像ファイルの前記動画像と、前記静止画像とが選択手段により選択され、前記選択手段により選択された前記静止画像および前記動画像が所定の順番で連続して再生されるように、前記静止画像および前記動画像の再生が制御される。
【発明の効果】
【００１８】
本発明の一側面によれば、静止画像および動画像を連続して再生することができる。特に、本発明の一側面によれば、簡単にユーザが所望すると予測される静止画像および動画像を連続して再生することができる。
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の再生制御装置は、静止画像および動画像のうち、所定の条件を満たすファイル名の動画像ファイルの前記動画像、または所定のファイル形式の動画像ファイルの前記動画像と、前記静止画像とを選択する選択手段（例えば、図４のリスト生成部９１）と、前記選択手段により選択された前記静止画像および前記動画像が所定の順番で連続して再生されるように、前記静止画像および前記動画像の再生を制御する再生制御手段（例えば、図４の静止画像表示制御部９２および動画像表示制御部９３）とを備える。
【００２１】
前記選択手段には、前記ファイル名および前記ファイル形式に基づいて、予め定められた規格に準拠する前記動画像ファイルの前記動画像を選択させる（例えば、図６のステップＳ５３の処理）ことができる。
【００２２】
前記再生制御手段には、前記選択手段により選択された前記動画像の再生中に、前記静止画像および前記動画像の再生の制御を指示するときに操作される入力手段に対して、ユーザにより所定の操作がなされた場合、前記所定の順番において、再生中の前記動画像の前または次の前記静止画像または前記動画像の再生が開始されるように、再生中の前記動画像の再生を制御させる（例えば、図７のステップＳ８５の処理、またはステップＳ８９の処理）ことができる。
【００２３】
前記再生制御手段には、前記選択手段により選択された前記静止画像の再生中に、前記所定の操作がなされた場合、前記所定の順番において、再生中の前記静止画像の前または次の前記静止画像または前記動画像の再生が開始されるように、再生中の前記静止画像の再生を制御させる（例えば、図５のステップＳ２２およびステップＳ１９の処理、またはステップＳ２４の処理）ことができる。
【００２４】
前記再生制御手段は、前記選択手段により選択された１つの前記動画像の再生が終了した場合、前記選択手段により選択された次の前記静止画像または前記動画像が再生されるように、前記静止画像および前記動画像の再生を制御させる（例えば、図７のステップＳ９６の処理およびステップＳ９７の処理）ことができる。
【００２５】
本発明の一側面の再生制御方法またはプログラムは、静止画像および動画像のうち、所定の条件を満たすファイル名の動画像ファイルの前記動画像、または所定のファイル形式の動画像ファイルの前記動画像と、前記静止画像とを選択手段（例えば、図４のリスト生成部９１）が選択し（例えば、図６のステップＳ５２乃至ステップＳ５４の処理）、前記選択手段により選択された前記静止画像および前記動画像が所定の順番で連続して再生されるように、前記静止画像および前記動画像の再生を制御する（例えば、図５および図７を参照して説明する処理）ステップを含む。
【００２６】
以下、図面を参照して、本発明を適用した実施の形態について説明する。
【００２７】
図１は、本発明を適用した表示装置の一実施の形態の外観の構成例を示す図である。
【００２８】
表示装置１１は、例えばテレビジョン受像機から構成される。表示装置１１には、画像を表示するLCD（Liquid Crystal Display）などからなる表示部２１と、リモートコマンダ１２から送信されてくる赤外線信号であるコマンド信号を受光する受光部２２とが設けられている。
【００２９】
リモートコマンダ１２は、ユーザにより操作され、表示装置１１における画像の再生の制御の指示や、電源の入り切りなどのユーザの操作に応じた処理の実行を指示するコマンド信号を生成し、表示装置１１に送信する。
【００３０】
例えば、ユーザは、リモートコマンダ１２を操作することにより、表示装置１１に記録されている所定のフォルダを指定し、そのフォルダに格納されている静止画像および動画像のうち、静止画像と、DCF（Design rule for Camera File system）などの予め定められた規格に準拠した動画像（より詳細には規格に準拠した動画像ファイルの動画像）とを所定の順番で連続して再生させることができる。
【００３１】
ここで、予め定められた規格に準拠した動画像は、例えばデジタルスチルカメラなどの撮影装置により撮影された動画像とされる。なお、以下、予め定められた規格に準拠した動画像をフォト動画像とも称する。また、以下、静止画像と動画像とを特に区別する必要のない場合、単に画像とも称し、画像を所定の順番で連続して再生する処理をスライドショー表示とも称する。
【００３２】
ユーザによりリモートコマンダ１２が操作され、画像のスライドショー表示が指示されると、リモートコマンダ１２は、ユーザの操作に応じてスライドショー表示を指示するコマンド信号を生成し、表示装置１１に送信する。
【００３３】
すると、表示装置１１の受光部２２は、リモートコマンダ１２から送信されてきたコマンド信号を受光し、表示装置１１は受光されたコマンド信号に基づいて、ユーザにより指定されたフォルダに格納されている静止画像とフォト動画像とを表示部２１にスライドショー表示する。
【００３４】
また、ユーザにより操作されるリモートコマンダ１２には、例えば図２に示すように、各種の処理の実行を指示するときに操作されるボタンが設けられている。
【００３５】
すなわち、リモートコマンダ１２の図中、上側には表示装置１１の電源を入り切りするときに操作されるボタン５１が設けられ、ボタン５１の下側には、テレビジョン放送されている番組の選局を行うときに操作される選局ボタンが設けられている。
【００３６】
また、選局ボタンの下側には、スライドショー表示されるコンテンツとしての画像が再生されている場合に、再生順において１つ前のコンテンツ、つまり再生されている画像の１つ前の静止画像またはフォト動画像を再生させるときに操作される上ボタン５２、次のコンテンツを再生させるときに操作される下ボタン５３、再生中の動画像を早戻し再生させるときに操作される左ボタン５４、および再生中の動画像を早送り再生させるときに操作される右ボタン５５が設けられている。
【００３７】
これらの上ボタン５２、下ボタン５３、左ボタン５４、および右ボタン５５のそれぞれには、図中、上向きの矢印、下向きの矢印、左向きの矢印、および右向きの矢印のそれぞれが印字されている。
【００３８】
また、リモートコマンダ１２の下ボタン５３の図中、下側には、スライドショー表示されるコンテンツとしてのフォト動画像が再生されている場合に、再生順（表示順）において１つ前のコンテンツを再生させるときに操作される前ボタン５６、および次のコンテンツを再生させるときに操作される次ボタン５７が設けられている。さらに、前ボタン５６および次ボタン５７の下側には、画像の再生の開始を指示するときに操作される再生開始ボタン、画像の再生の停止を指示するときに操作される停止ボタン、再生される音声の音量を調節するときに操作される音量ボタンなどが設けられている。
【００３９】
ユーザは、リモートコマンダ１２に設けられたこれらのボタンを操作することで、表示装置１１に画像を再生させる。
【００４０】
ところで、表示装置１１は、ユーザによりリモートコマンダ１２に対して同じ操作がなされた場合であっても、スライドショー表示される１つのコンテンツとしてのフォト動画像の再生中にリモートコマンダ１２が操作されたときと、スライドショー表示されるコンテンツとしてではなく、ユーザに指定された任意の動画像（以下、適宜、ビデオ動画像と称する）の再生中にリモートコマンダ１２が操作されたときとで、異なる処理を行うことがある。
【００４１】
換言すれば、表示装置１１は、リモートコマンダ１２になされた同じ操作に対して動画像の再生の制御を行う場合に、ビデオ動画像の再生中と、スライドショー表示されるコンテンツとしてのフォト動画像の再生中とで異なる制御を行うことがある。
【００４２】
具体的には、フォト動画像またはビデオ動画像の再生中にリモートコマンダ１２が操作された場合、図３に示すように、ユーザの操作に対応する処理が表示装置１１により行われる。
【００４３】
すなわち、図３において、“キー操作”の欄には、ユーザにより操作されたリモートコマンダ１２のボタンが示されており、“フォト動画像”の欄には、スライドショー表示時におけるフォト動画像の再生中に“キー操作”の欄により示されるボタンが操作されたときになされる再生の制御が示されており、“ビデオ動画像”の欄には、ビデオ動画像の再生中に“キー操作”の欄により示されるボタンが操作されたときになされる再生の制御が示されている。なお、“キー操作”の欄における文字“EOF”は、動画像の再生が終了した、つまり動画像が最後まで再生されたことを示している。
【００４４】
スライドショー表示時におけるフォト動画像の再生中に上ボタン５２、下ボタン５３、左ボタン５４、右ボタン５５、前ボタン５６、および次ボタン５７のそれぞれが操作された場合、表示装置１１は、それぞれ、再生順において１つ前のコンテンツの再生、次のコンテンツの再生、早戻し再生、早送り再生、１つ前のコンテンツの再生、および次のコンテンツの再生が行われるように、再生中のフォト動画像の再生を制御する。
【００４５】
また、スライドショー表示時にフォト動画像が最後まで再生された場合、表示装置１１は、再生順において、再生の終了したフォト動画像の次のコンテンツ（静止画像またはフォト動画像）の再生が開始されるように制御する。
【００４６】
これに対して、ビデオ動画像の再生中に上ボタン５２、下ボタン５３、左ボタン５４、右ボタン５５、前ボタン５６、および次ボタン５７のそれぞれが操作された場合、表示装置１１は、それぞれ、再生位置の３０秒後の位置への移動、再生位置の１５秒前の位置への移動、早戻し再生、早送り再生、ビデオ動画像を構成するチャプタのうち、再生中のチャプタの１つ前のチャプタの先頭からの再生、および再生中のチャプタの１つ後のチャプタの先頭からの再生が行われるように、再生中のビデオ動画像の再生を制御する。
【００４７】
また、ビデオ動画像が最後まで再生された場合、表示装置１１は、再生の終了したビデオ動画像の最後のフレームの画像が表示部２１に表示された状態で、ビデオ動画像の再生を一時停止する。
【００４８】
なお、スライドショー表示時における静止画像の再生中に上ボタン５２、下ボタン５３、前ボタン５６、および次ボタン５７のそれぞれが操作された場合、表示装置１１は、それぞれ、再生順において１つ前のコンテンツの再生、次のコンテンツの再生、１つ前のコンテンツの再生、および次のコンテンツの再生が行われるように、静止画像の再生を制御する。
【００４９】
また、スライドショー表示時に静止画像が表示（再生）されてから予め定められた所定の時間が経過した場合、表示装置１１は、再生された静止画像の次のコンテンツ（静止画像またはフォト動画像）の再生が開始されるように制御する。さらに、スライドショー表示時における静止画像の再生中に左ボタン５４、および右ボタン５５の何れかが操作された場合、表示装置１１は、特に何も処理を行わず、静止画像が表示されてから予め定められた所定の時間が経過すると、次のコンテンツを再生する。
【００５０】
ビデオ動画像が再生される場合、スライドショー表示時における動画像の再生とは異なり、コンテンツとしての動画像や静止画像を連続して再生する必要はないので、再生中の１つのビデオ動画像に対して、早送り、早戻し等の再生の制御を行うことができればよい。
【００５１】
一方、スライドショー表示においては、複数のコンテンツ（静止画像およびフォト動画像）が連続して再生されるので、コンテンツとしてのフォト動画像が再生される場合、フォト動画像の再生中においても、ユーザが再生順において１つ前または次のコンテンツの再生の開始、つまり前後のコンテンツへのジャンプ再生を指示することができると便利である。
【００５２】
そこで、表示装置１１は、スライドショー表示時におけるフォト動画像の再生中に、上ボタン５２、下ボタン５３、前ボタン５６、および次ボタン５７のそれぞれが操作されると、ビデオ動画像の再生中における場合とは異なる、スライドショー表示に特化した処理、つまり、スライドショー表示されるコンテンツとしての静止画像の再生時における場合と同じ処理が行われ、前後のコンテンツの再生が開始されるようにコンテンツの再生を制御する。
【００５３】
このように、コンテンツの連続再生の観点から、スライドショー表示時におけるフォト動画像の再生中に、上ボタン５２、下ボタン５３、前ボタン５６、および次ボタン５７が操作された場合、スライドショー表示時における静止画像の再生中にそれらのボタンが操作された場合と同じ処理が行われるように、フォト動画像の再生を制御することで、スライドショー表示時に静止画像とフォト動画像とを同等に扱うことができる。これにより、ユーザは、スライドショー表示の対象となるコンテンツとして静止画像とフォト動画像とが混在している場合においても、簡単な操作で円滑にコンテンツを再生させることができる。
【００５４】
図４は、図１の表示装置１１の構成例を示すブロック図である。なお、図４において、図１における場合と対応する部分には同一の符号を付してあり、その説明は適宜省略する。
【００５５】
表示装置１１は、表示部２１、受光部２２、記録部８１、通信部８２、および表示制御部８３から構成される。
【００５６】
受光部２２は、リモートコマンダ１２から送信されてきたコマンド信号を受光（受信）し、受光したコマンド信号を電気信号である制御信号に光電変換する。そして、受光部２２は、光電変換により得られた制御信号を表示制御部８３に供給する。
【００５７】
記録部８１は、例えば表示装置１１に内蔵されるハードディスクや、表示装置１１に着脱可能な光ディスク、半導体メモリなどのリムーバブルメディアからなり、静止画像や動画像などの各種のデータを記録する。また、記録部８１は、表示制御部８３から供給された静止画像や動画像などのデータを記録する。
【００５８】
通信部８２は、例えばインターネットなどからなる通信網を介して表示装置１１と接続されている他の装置と通信し、各種のデータの送受信を行う。例えば、通信部８２は、通信網を介して他の装置から送信されてきた、ユーザにより指示されたスライドショー表示の対象となる静止画像および動画像を受信して表示制御部８３に供給する。
【００５９】
表示制御部８３は、受光部２２から供給された制御信号に応じて、記録部８１に記録されている静止画像や動画像の再生を制御する。また、表示制御部８３は、通信部８２から供給されたデータを記録部８１に供給して記録させる。
【００６０】
表示制御部８３は、リスト生成部９１、静止画像表示制御部９２、および動画像表示制御部９３を備えている。なお、リスト生成部９１乃至動画像表示制御部９３のそれぞれは、相互にデータの授受を行うことができるようになされている。
【００６１】
表示制御部８３のリスト生成部９１は、受光部２２からの制御信号に応じて、記録部８１に記録されている、ユーザに指定されたフォルダを参照して、スライドショー表示する静止画像およびフォト動画像の表示リストを生成する。すなわち、リスト生成部９１は、ユーザにより指定されたフォルダに格納されている静止画像およびフォト動画像のそれぞれを、スライドショー表示するコンテンツとし、それらのコンテンツを示す情報である表示項目が所定の順番で並べられた表示リストを生成する。
【００６２】
静止画像表示制御部９２は、例えば表示制御部８３が、静止画像の再生を制御するアプリケーションプログラムを実行することにより実現される。静止画像表示制御部９２は、必要に応じてリスト生成部９１により生成された表示リストを参照して、記録部８１に記録されている静止画像、より具体的には静止画像ファイルを取得して表示部２１に供給し、表示部２１に静止画像を表示させる。
【００６３】
動画像表示制御部９３は、例えば表示制御部８３が、動画像の再生を制御するアプリケーションプログラムを実行することにより実現される。動画像表示制御部９３は、必要に応じてリスト生成部９１により生成された表示リストを参照して、記録部８１に記録されている動画像、より具体的には動画像ファイルを取得して表示部２１に供給し、表示部２１に動画像を表示させる。
【００６４】
ところで、ユーザがリモートコマンダ１２を操作して、記録部８１に記録されているフォルダ、または通信網を介して表示装置１１に接続されている他の装置に記録されているフォルダを指定して、フォルダに格納されている画像のスライドショー表示を指示すると、表示装置１１は、画像をスライドショー表示する処理であるスライドショー表示処理を開始する。
【００６５】
以下、図５のフローチャートを参照して、表示装置１１によるスライドショー表示処理について説明する。
【００６６】
ステップＳ１１において、表示装置１１は、リスト生成処理を行う。なお、リスト生成処理の詳細は後述するが、このリスト生成処理において、表示装置１１は、これからスライドショー表示する静止画像またはフォト動画像の表示リストを生成する。
【００６７】
例えば、ユーザがリモートコマンダ１２を操作して、記録部８１に記録されているフォルダを指定した場合、表示装置１１のリスト生成部９１は、記録部８１に記録されている、ユーザに指定されたフォルダを参照して、フォルダに格納されている静止画像およびフォト動画像のそれぞれを示す表示項目のそれぞれが表示（再生）される順番に並べられた表示リストを生成する。
【００６８】
また、例えば、ユーザがリモートコマンダ１２を操作して、表示装置１１に接続されている他の装置に記録されているフォルダを指定した場合、表示制御部８３は、受光部２２から供給されたユーザの操作に応じた制御信号に基づいて、通信部８２にユーザにより指定されたフォルダを取得させる。通信部８２は、表示制御部８３の指示に従って、通信網を介して他の装置から指定されたフォルダを取得する。つまり、通信部８２は、他の装置から送信されてきた、指定したフォルダに格納されている静止画像および動画像を受信して表示制御部８３に供給する。
【００６９】
すると、表示制御部８３は、通信部８２から供給された静止画像および動画像を記録部８１に供給し、新たなフォルダに格納させて一時的に記録させる。そして、表示制御部８３のリスト生成部９１は、新たに記録されたフォルダに格納された静止画像およびフォト動画像のそれぞれを示す表示項目のそれぞれが並べられた表示リストを生成する。
【００７０】
なお、ユーザにより指定されたフォルダに格納されている静止画像およびフォト動画像を、スライドショー表示の対象とする例について説明するが、ユーザがリモートコマンダ１２を操作して、スライドショー表示の対象とする画像を直接指定するようにしてもよいし、何らかの方法でグループ化された画像を指定するようにしてもよい。また、以下の説明においては、ユーザは記録部８１に予め記録されているフォルダを指定してスライドショー表示を指示するものとして説明を続ける。
【００７１】
スライドショー表示する静止画像およびフォト動画像の表示リストが生成されると、ステップＳ１２において、静止画像表示制御部９２は、リスト生成部９１により生成された表示リストを参照して、表示リストのうち、最初の表示項目、つまり最初に表示される静止画像またはフォト動画像を示す表示項目を選択する。
【００７２】
ステップＳ１３において、静止画像表示制御部９２は、選択した表示項目により示される画像がフォト動画像であるか否かを判定する。
【００７３】
ステップＳ１３において、フォト動画像であると判定された場合、ステップＳ１４において、静止画像表示制御部９２は、スライドショー表示に関する情報であるスライドショー情報を生成し、動画像表示制御部９３に供給する。
【００７４】
ここで、スライドショー情報には、スライドショー情報の受け渡し元、すなわちスライドショー情報を生成したブロックを示す受け渡し元情報、スライドショー表示中であるか否かを示す情報、次に再生する表示項目を示す表示項目情報、および再生する画像として入力される画像のファイル形式や画質など、入力される画像に関する各種の設定を示す情報である入力切替情報が含まれている。
【００７５】
したがって、例えば、選択された最初の表示項目がフォト動画像を示している場合、静止画像表示制御部９２は、スライドショー情報の受け渡し元としての静止画像表示制御部９２を示す受け渡し元情報、スライドショー表示中であることを示す情報、再生する表示項目として、最初の表示項目を示す表示項目情報、およびMPEG2（Moving Picture Experts Group phase 2）形式などの画像のファイル形式等の設定を示す入力切替情報が含まれているスライドショー情報を生成し、動画像表示制御部９３に供給する。
【００７６】
また、例えば、通信部８２がDLNA（Digital Living Network Alliance）などの規格にしたがって、通信網を介して他の装置から送信されてきた静止画像および動画像を受信した場合には、入力切替情報の画像のファイル形式は、MPEG2形式やMPEG2-PS（Moving Picture Experts Group phase 2 - Program Stream）形式などとされる。
【００７７】
静止画像表示制御部９２から動画像表示制御部９３にスライドショー情報が供給されると、動画像表示制御部９３は、後述するように、供給されたスライドショー情報に基づいて、表示項目情報により示されるフォト動画像を再生する。ここで、動画像表示制御部９３は、リスト生成部９１により生成された表示リストにおける、再生した表示項目の次の表示項目がフォト動画像である場合、そのフォト動画像の再生も行う。
【００７８】
そして、動画像表示制御部９３は、フォト動画像の再生が終了すると、スライドショー情報の受け渡し元としての動画像表示制御部９３を示す受け渡し元情報、スライドショー表示中であることを示す情報、再生する表示項目として、次に再生される表示項目を示す表示項目情報、および入力される画像に関する設定を示す入力切替情報が含まれているスライドショー情報を生成し、静止画像表示制御部９２に供給する。ここで、フォト動画像の再生中に、ユーザによりスライドショー表示の終了が指示された場合、動画像表示制御部９３は、スライドショー表示の終了が指示された旨の情報が含まれるスライドショー情報を生成して、静止画像表示制御部９２に供給する。
【００７９】
動画像表示制御部９３によりフォト動画像が再生されると、ステップＳ１５において、静止画像表示制御部９２は、動画像表示制御部９３からスライドショー情報を取得して、処理はステップＳ１８に進む。すなわち、動画像表示制御部９３は、フォト動画像の再生が終了するか、ユーザによりスライドショー表示の終了が指示されると、スライドショー情報を生成して静止画像表示制御部９２に供給し、静止画像表示制御部９２は、スライドショー情報の供給を受ける。また、静止画像表示制御部９２は、スライドショー情報に含まれる入力切替情報に基づいて、入力する画像に関する設定を行う。
【００８０】
一方、ステップＳ１３において、選択した表示項目により示される画像がフォト動画像ではない、つまり静止画像であると判定された場合、ステップＳ１６において、静止画像表示制御部９２は、表示部２１に、表示項目により示される静止画像を表示させる。
【００８１】
すなわち、静止画像表示制御部９２は、表示項目により示される静止画像を記録部８１から取得して表示部２１に供給し、表示部２１は、静止画像表示制御部９２から供給された静止画像を表示する。
【００８２】
ステップＳ１７において、静止画像表示制御部９２は、ユーザによりリモートコマンダ１２のボタンが操作されたか否かを判定する。
【００８３】
すなわち、ユーザがリモートコマンダ１２に設けられたボタンを操作すると、リモートコマンダ１２はユーザの操作に応じたコマンド信号を表示装置１１に送信する。表示装置１１の受光部２２は、リモートコマンダ１２から送信されてきたコマンド信号を受光して光電変換し、その結果得られた制御信号を表示制御部８３に供給する。静止画像表示制御部９２は、受光部２２から制御信号が供給された場合、ボタンが操作されたと判定する。
【００８４】
なお、より詳細には、表示部２１に静止画像が表示されている場合、静止画像が表示されてから、予め定められた時間、すなわち静止画像が継続して表示される時間が経過しても受光部２２から静止画像表示制御部９２に制御信号が供給されなかったとき、ボタンが操作されなかったと判定される。
【００８５】
ステップＳ１７において、ボタンが操作されていないと判定された場合、処理はステップＳ１８に進む。
【００８６】
ステップＳ１７において、ボタンが操作されていないと判定されたか、ステップＳ１５においてスライドショー情報が取得されると、ステップＳ１８において、静止画像表示制御部９２は、スライドショー表示を終了するか否かを判定する。例えば、表示リストの最後の表示項目の再生が終了した場合、または動画像表示制御部９３から供給されたスライドショー情報に、スライドショー表示の終了が指示された旨の情報が含まれている場合、スライドショー表示を終了すると判定される。
【００８７】
ステップＳ１８において、スライドショー表示を終了すると判定された場合、表示装置１１は、各部の行っている処理を終了し、スライドショー表示処理は終了する。
【００８８】
これに対して、ステップＳ１８において、スライドショー表示を終了しない、すなわち継続してスライドショー表示を行うと判定された場合、ステップＳ１９において、静止画像表示制御部９２は、リスト生成部９１により生成された表示リストの次の表示項目を選択する。例えば、表示部２１に静止画像が表示されている場合、静止画像表示制御部９２は、表示リストの表示項目のうち、表示部２１に表示されている静止画像を示す表示項目の次の表示項目を、次に再生する画像を示す表示項目として選択する。
【００８９】
また、例えば、フォト動画像が再生され、動画像表示制御部９３から静止画像表示制御部９２にスライドショー情報が供給された場合、静止画像表示制御部９２は、表示リストの表示項目のうち、スライドショー情報により示される表示項目を次に再生する画像を示す表示項目として選択する。
【００９０】
ステップＳ１９において、次に再生する画像を示す表示項目が選択されると、処理はステップＳ１３に戻り、上述した処理が繰り返される。
【００９１】
また、ステップＳ１７において、ユーザによりリモートコマンダ１２のボタンが操作されたと判定された場合、ステップＳ２０において、静止画像表示制御部９２は、スライドショー表示の終了が指示されたか否かを判定する。
【００９２】
例えば、ユーザがリモートコマンダ１２を操作してスライドショー表示の終了を指示し、受光部２２から静止画像表示制御部９２に、ユーザの操作に応じて、スライドショー表示の終了を指示する制御信号が供給された場合、スライドショー表示の終了が指示されたと判定される。
【００９３】
ステップＳ２０において、スライドショー表示の終了が指示されたと判定された場合、表示装置１１は、各部の行っている処理を終了し、スライドショー表示処理は終了する。
【００９４】
これに対して、ステップＳ２０において、スライドショー表示の終了が指示されていないと判定された場合、ステップＳ２１において、静止画像表示制御部９２は、次の表示項目の再生が指示されたか否かを判定する。
【００９５】
例えば、ユーザがリモートコマンダ１２の下ボタン５３または次ボタン５７を操作し、ユーザの操作に応じて、受光部２２から静止画像表示制御部９２に、下ボタン５３が操作された旨の制御信号、または次ボタン５７が操作された旨の制御信号が供給された場合、次の表示項目の再生が指示されたと判定される。
【００９６】
また、例えば、ユーザがリモートコマンダ１２の上ボタン５２または前ボタン５６を操作し、ユーザの操作に応じて、受光部２２から静止画像表示制御部９２に、上ボタン５２が操作された旨の制御信号、または前ボタン５６が操作された旨の制御信号が供給された場合、次の表示項目の再生が指示されなかったと判定される。
【００９７】
ステップＳ２１において、次の表示項目の再生が指示されたと判定された場合、ステップＳ２２において、静止画像表示制御部９２は、表示リストに、再生順において、再生中の表示項目の次の表示項目があるか否か、すなわち、表示部２１に表示されている静止画像を示す表示項目の次の表示項目があるか否かを判定する。
【００９８】
ステップＳ２２において、次の表示項目がないと判定された場合、表示部２１に表示されている静止画像が、表示の開始から予め定められた時間が経過するまで継続して表示された後、表示リストの全ての表示項目について、表示項目により示される画像の再生が終了したとされ、スライドショー表示処理は終了する。
【００９９】
これに対して、ステップＳ２２において、次の表示項目があると判定された場合、処理はステップＳ１９に進み、次の表示項目が選択されて、選択された表示項目により示される画像が再生される。
【０１００】
また、ステップＳ２１において、次の表示項目の再生が指示されなかったと判定された場合、すなわち、受光部２２から静止画像表示制御部９２に、上ボタン５２が操作された旨の制御信号、または前ボタン５６が操作された旨の制御信号が供給され、表示部２１に表示されている静止画像を示す表示項目の１つ前の表示項目の再生が指示された場合、処理はステップＳ２３に進む。
【０１０１】
ステップＳ２３において、静止画像表示制御部９２は、表示リストに、再生順において、再生中の表示項目の１つ前の表示項目があるか否か、すなわち表示部２１に表示されている静止画像を示す表示項目の前の表示項目があるか否かを判定する。
【０１０２】
ステップＳ２３において、前の表示項目がないと判定された場合、すなわち表示部２１に表示されている静止画像が、表示リストの最初の表示項目により示される静止画像である場合、表示部２１に表示されている静止画像が、表示の開始から予め定められた時間が経過するまで継続して表示された後、処理はステップＳ１９に進み、次の表示項目が選択されて、選択された表示項目により示される画像が再生される。
【０１０３】
これに対して、ステップＳ２３において、前の表示項目があると判定された場合、処理はステップＳ２４に進む。ステップＳ２４において、静止画像表示制御部９２は、リスト生成部９１により生成された表示リストにおける、再生中の表示項目の１つ前の表示項目を選択し、処理はステップＳ１３に戻り、選択された表示項目により示される画像が再生される。
【０１０４】
このようにして、表示装置１１は、表示リストを生成し、生成した表示リストにしたがって、静止画像およびフォト動画像を連続して再生する。また、表示装置１１の静止画像表示制御部９２は、表示リストの表示項目により示される画像が静止画像である場合、その静止画像を再生して表示部２１に表示させ、表示項目により示される画像がフォト動画像である場合、動画像表示制御部９３にスライドショー情報を供給して、そのフォト動画像を再生させる。
【０１０５】
このように、表示項目により示される画像が静止画像である場合、静止画像表示制御部９２が静止画像の再生を制御し、表示項目により示される画像がフォト動画像である場合、動画像表示制御部９３がフォト動画像の再生を制御することで、ユーザにより指定されたフォルダに静止画像と動画像とが混在している場合においても、それらの画像を順番に連続して再生することができる。
【０１０６】
次に、図６のフローチャートを参照して、図５のステップＳ１１の処理に対応するリスト生成処理について説明する。
【０１０７】
ステップＳ５１において、リスト生成部９１は、ユーザにより指定されたフォルダに格納されている画像を１つ選択する。
【０１０８】
例えば、静止画像および動画像を、それらの静止画像および動画像の撮影日時の古いものから順番に連続して再生させる場合、リスト生成部９１は、受光部２２から供給された制御信号に基づいて、記録部８１のユーザにより指定されたフォルダに格納されている、まだ選択していない静止画像および動画像のうち、最も撮影日時の古い画像を選択する。
【０１０９】
ステップＳ５２において、リスト生成部９１は、選択した画像が静止画像であるか否かを判定する。例えば、リスト生成部９１は、選択した画像、より詳細には、選択した画像の画像ファイルの拡張子が、JPEG（Joint Photographic Experts Group）方式で圧縮された画像ファイル（JPEG形式の画像ファイル）であることを示す拡張子“jpg”である場合、静止画像であると判定する。
【０１１０】
ステップＳ５２において、選択した画像が静止画像であると判定された場合、処理はステップＳ５４に進む。
【０１１１】
これに対して、ステップＳ５２において、選択した画像が静止画像ではないと判定された場合、ステップＳ５３において、リスト生成部９１は、選択した画像がフォト動画像であるか否か、すなわち選択した画像、より詳細には、選択した画像の画像ファイルが予め定められた規格に準拠した画像ファイルであるか否かを判定する。
【０１１２】
例えば、予め定められ規格がDCFである場合、つまりDCFの規格に準拠した画像ファイルの動画像がフォト動画像とされる場合、リスト生成部９１は、画像ファイルのファイル名が所定の条件を満たす、DCFに準拠した画像ファイルに特有のファイル名であり、かつ画像ファイルのファイル形式が予め定められた所定のファイル形式であるとき、選択した画像がフォト動画像であると判定する。
【０１１３】
すなわちリスト生成部９１は、画像ファイルのファイル名が、DCFの規格にしたがって付されたファイル名であり、かつ画像ファイルが、DCFの規格において定められたファイル形式の画像ファイルである場合、選択した画像がフォト動画像であると判定する。
【０１１４】
より具体的には、選択した画像ファイルの拡張子が、MPEG2方式で圧縮された画像ファイル（MPEG2形式の画像ファイル）であることを示す拡張子“mpg”または“mpeg”であり、ファイル名の接頭字、つまりファイル名の先頭のいくつかの文字列が文字列“MOV”または“MVI”であり、かつファイル名の接頭字の直後の文字が４桁の数字である場合、リスト生成部９１は、選択した画像がフォト動画像であると判定する。
【０１１５】
したがって、例えば選択された画像ファイルの拡張子を含むファイル名が“MOV0123.mpg”である場合、その画像ファイルはフォト動画像の画像ファイルとされる。また、例えば、画像ファイルの拡張子が、AVI（Audio Video Interleaving）形式のファイルであることを示す拡張子“avi”である場合、ＭＰ４形式のファイルであることを示す拡張子“mp4”である場合、またはMPEG2-TS（MPEG2 - Transport Stream）形式のファイルであることを示す拡張子“m2t”である場合、その画像ファイルはフォト動画像の画像ファイルとはされない。
【０１１６】
なお、選択した画像ファイルの拡張子が、MPEG2方式で圧縮された画像ファイルであることを示す拡張子である場合、すなわちDCFの規格に準拠したMPEG2形式の画像ファイルである場合、ファイル名の接頭字が予め定められた文字列である場合、またはファイル名の接頭字の直後の文字が４桁の数字である場合の何れかの場合に、リスト生成部９１により選択された画像がフォト動画像であると判定されるようにしてもよい。
【０１１７】
このように、画像ファイルのファイル名および拡張子を用いて、選択された画像がフォト動画像であるか否かを判定することで、ユーザが画像ファイルのファイル名または拡張子を意図的に変更しない限り、フォルダに格納されている動画像のうち、所望する規格に準拠した動画像だけを選択することができる。
【０１１８】
ステップＳ５３において、フォト動画像でないと判定された場合、選択された画像は、撮影装置により撮影された動画像ではないので、処理はステップＳ５１に戻り、次の画像が選択される。
【０１１９】
これに対して、ステップＳ５３において、フォト動画像であると判定された場合、選択された画像は撮影装置により撮影されたフォト動画像であるので、処理はステップＳ５４に進む。
【０１２０】
ステップＳ５３において、フォト動画像であると判定されるか、ステップＳ５２において、静止画像であると判定された場合、ステップＳ５４において、リスト生成部９１は、選択した画像、より詳細には選択した画像の画像ファイルを示す情報を、表示項目として表示リストの最後に追加する。
【０１２１】
例えば、表示リストには、ユーザにより指定されたフォルダに格納されている静止画像およびフォト動画像のうち、最も撮影日時の古い静止画像またはフォト動画像を示す表示項目を先頭として、静止画像またはフォト動画像を示す表示項目が、その表示項目により示される画像の撮影日時の古い順番、すなわち再生される順番で並べられている。リスト生成部９１は、新たに選択した静止画像またはフォト動画像を示す表示項目が、表示リストとして順番に並べられている表示項目のうちの最後の表示項目の次に並べられるように、選択した静止画像またはフォト動画像を示す表示項目を表示リストに追加する。
【０１２２】
ステップＳ５５において、リスト生成部９１は、ユーザにより指定されたフォルダに格納されている全ての画像（静止画像および動画像）を選択したか否かを判定する。
【０１２３】
ステップＳ５５において、全ての画像を選択していないと判定された場合、処理はステップＳ５１に戻り、次の画像が選択されて、その画像を示す表示項目が表示リストに追加される処理が行われる。
【０１２４】
これに対して、ステップＳ５５において、全ての画像を選択したと判定された場合、リスト生成部９１は、ステップＳ５１の処理乃至ステップＳ５４の処理を行うことにより生成された表示リストを保持し、処理は図５のステップＳ１２に進む。
【０１２５】
このようにして、表示装置１１は、フォルダに格納された画像のうち、静止画像と、予め定められた規格に準拠した動画像とを選択して、選択した静止画像または動画像を示す表示項目が再生順に並べられた表示リストを生成する。
【０１２６】
このように、フォルダに格納された画像のうち、静止画像と、予め定められた規格に準拠した動画像とを選択して表示リストを生成することにより、簡単にユーザが所望すると予測される静止画像および動画像だけを連続して再生することができる。
【０１２７】
例えば、記録部８１のフォルダに、ユーザが旅行などの行事のときに撮影装置により撮影した静止画像およびフォト動画像と、その行事とは全く関係のない、撮影装置により撮影されたものではない動画像とが混在して記録されることがある。そのような場合、ユーザがフォルダに格納されている静止画像および動画像をスライドショー表示させて、表示される画像を閲覧し、行事のときの記憶を振り返ろうとするとき、ユーザが閲覧したい画像は、行事のときに撮影した画像だけであるにもかかわらず、フォルダに格納されている行事とは全く関係のない動画像まで再生されてしまうと、ユーザは、行事のときに撮影した画像の閲覧が阻害されたと感じることになる。
【０１２８】
そこで、フォルダに格納されている静止画像および動画像のうち、静止画像と、予め定められた規格に準拠した動画像とを選択して表示リストを生成することで、ユーザが閲覧したいと予測される静止画像および動画像、例えば撮影装置により撮影された静止画像および動画像だけを選択的にスライドショー表示することができ、ユーザの満足度を向上させることができる。
【０１２９】
また、表示装置１１と通信網を介して接続されている他の装置、例えば通信網上のサーバから表示装置１１に、スライドショー表示させる静止画像および動画像として、撮影装置により撮影された、互いに関連する静止画像および動画像と、それらの静止画像および動画像とは全く関係のない、撮影装置により撮影されたものではない動画像とが供給されることがある。そのような場合においても、サーバから供給された静止画像および動画像から、静止画像と、予め定められた規格に準拠した動画像とを選択して表示リストを生成することで、簡単にユーザが所望すると予測される静止画像および動画像を連続して再生することができる。
【０１３０】
なお、以上においては、予め定められた規格として、DCFを例として説明したが、その他、デジタルビデオカメラや携帯電話機などにおいて用いられている規格など、任意の規格に準拠した動画像をフォト動画像とすることができる。また、所定の規格に準拠した動画像ファイルに限らず、MPEG2形式などの予め定められたファイル形式の動画像ファイルに基づく動画像がフォト動画像とされるようにしてもよい。
【０１３１】
さらに、静止画像についても、リスト表示部９１が、予め定められた規格に準拠した静止画像、所定の条件を満たすファイル名の静止画像、または所定のファイル形式の静止画像のいずれかを、スライドショー表示する静止画像として、その静止画像を示す表示項目を表示リストに追加するようにしてもよい。
【０１３２】
ところで、図５のスライドショー表示処理が実行されているときに、静止画像表示制御部９２から動画像表示制御部９３にスライドショー情報が供給されるか、ユーザがリモートコマンダ１２を操作して、所定のビデオ動画像の再生を指示すると、表示装置１１は、動画像を再生する処理である動画像再生処理を開始する。
【０１３３】
以下、図７のフローチャートを参照して、表示装置１１による動画像再生処理について説明する。
【０１３４】
ステップＳ８１において、動画像表示制御部９３は、動画像の再生を開始させる。例えば、ユーザがリモートコマンダ１２を操作して、所定の動画像（ビデオ動画像）の再生を指示した場合、リモートコマンダ１２から表示装置１１には、ユーザの操作に応じたコマンド信号が送信される。受光部２２は、リモートコマンダ１２から送信されてきたコマンド信号を受光して光電変換し、その結果得られた制御信号を表示制御部８３の動画像表示制御部９３に供給する。
【０１３５】
動画像表示制御部９３は、受光部２２から供給された制御信号に基づいて、ユーザにより指示された動画像を記録部８１から取得して表示部２１に供給し、表示部２１に動画像を表示させる。
【０１３６】
また、例えば静止画像表示制御部９２から動画像表示制御部９３にスライドショー情報が供給された場合、動画像表示制御部９３は、供給されたスライドショー情報の入力切替情報に基づいて、入力をMPEG2形式の画像ファイルの動画像に切り替える処理などを行い、入力する画像、つまりこれから再生する動画像に関する設定を行う。そして、動画像表示制御部９３は、スライドショー情報の表示項目情報により示されるフォト動画像を記録部８１から取得し、入力切替情報に基づいて、取得したフォト動画像に対して必要に応じて伸張処理などの処理を施す。さらに、動画像表示制御部９３は、処理の施されたフォト動画像を表示部２１に供給して、表示部２１に動画像を表示させる。
【０１３７】
ステップＳ８２において、動画像表示制御部９３は、上ボタン５２または前ボタン５６が操作されたか否かを判定する。例えば、ユーザがリモートコマンダ１２の上ボタン５２または前ボタン５６を操作し、ユーザの操作に応じて受光部２２から動画像表示制御部９３に、上ボタン５２が操作された旨の制御信号、または前ボタン５６が操作された旨の制御信号が供給された場合、上ボタン５２または前ボタン５６が操作されたと判定される。
【０１３８】
ステップＳ８２において、上ボタン５２または前ボタン５６が操作されたと判定された場合、ステップＳ８３において、動画像表示制御部９３は、再生中の動画像は、フォト動画像であるか否かを判定する。例えば、静止画像表示制御部９２から動画像表示制御部９３にスライドショー情報が供給され、供給されたスライドショー情報に、スライドショー表示中であることを示す情報が含まれている場合、フォト動画像であると判定される。
【０１３９】
ステップＳ８３において、フォト動画像でないと判定された場合、ステップＳ８４において、動画像表示制御部９３は、ユーザの操作に応じた処理を行い、処理はステップＳ９４に進む。例えば、受光部２２から動画像表示制御部９３に、上ボタン５２が操作された旨の制御信号が供給された場合、動画像表示制御部９３は、供給された制御信号に基づいて、再生中の動画像の再生位置が、現在の再生位置の３０秒後の位置に移動されるように、動画像の再生を制御する。
【０１４０】
また、例えば、受光部２２から動画像表示制御部９３に、前ボタン５６が操作された旨の制御信号が供給された場合、動画像表示制御部９３は、供給された制御信号に基づいて、再生中の動画像の再生位置が、現在再生中の動画像のチャプタの１つ前のチャプタの先頭の位置に移動されるように、動画像の再生を制御する。
【０１４１】
一方、ステップＳ８３において、再生中の動画像がフォト動画像であると判定された場合、ステップＳ８５において、動画像表示制御部９３は、受光部２２から供給された制御信号に基づいて、リスト生成部９１により生成された表示リストの表示項目のうち、現在再生しているフォト動画像を示す表示項目の１つ前の表示項目により示されるフォト動画像の再生を開始する。
【０１４２】
すなわち、動画像表示制御部９３は、再生しているフォト動画像を示す表示項目の１つ前の表示項目により示されるフォト動画像を、記録部８１から取得して表示部２１に供給し、表示部２１にフォト動画像を表示させて、処理はステップＳ９４に進む。
【０１４３】
なお、より詳細には、表示リストに１つ前の表示項目がない場合、つまり表示リストの最初の表示項目により示されるフォト動画像が再生されている場合、現在再生されているフォト動画像の再生が継続して行われる。
【０１４４】
また、表示リストの１つ前の表示項目が、フォト動画像ではなく静止画像を示す表示項目である場合、静止画像の再生は静止画像表示制御部９２により行われるので、動画像表示制御部９３は、新たなフォト動画像の再生を行わず、処理はステップＳ９４に進み、再生中のフォト動画像の再生が停止され、静止画像表示制御部９２により静止画像の再生が行われる。
【０１４５】
さらに、ステップＳ８２において、上ボタン５２または前ボタン５６が操作されていないと判定された場合、ステップＳ８６において、動画像表示制御部９３は、下ボタン５３または次ボタン５７が操作されたか否かを判定する。例えば、ユーザがリモートコマンダ１２の下ボタン５３または次ボタン５７を操作し、ユーザの操作に応じて受光部２２から動画像表示制御部９３に、下ボタン５３が操作された旨の制御信号、または次ボタン５７が操作された旨の制御信号が供給された場合、下ボタン５３または次ボタン５７が操作されたと判定される。
【０１４６】
ステップＳ８６において、下ボタン５３または次ボタン５７が操作されたと判定された場合、ステップＳ８７において、動画像表示制御部９３は、再生中の動画像は、フォト動画像であるか否かを判定する。
【０１４７】
ステップＳ８７において、フォト動画像でないと判定された場合、ステップＳ８８において、動画像表示制御部９３は、ユーザの操作に応じた処理を行い、処理はステップＳ９４に進む。例えば、受光部２２から動画像表示制御部９３に、下ボタン５３が操作された旨の制御信号が供給された場合、動画像表示制御部９３は、供給された制御信号に基づいて、再生中の動画像の再生位置が、現在の再生位置の１５秒前の位置に移動されるように、動画像の再生を制御する。
【０１４８】
また、例えば、受光部２２から動画像表示制御部９３に、次ボタン５７が操作された旨の制御信号が供給された場合、動画像表示制御部９３は、供給された制御信号に基づいて、再生中の動画像の再生位置が、現在再生中の動画像のチャプタの１つ後のチャプタの先頭の位置に移動されるように、動画像の再生を制御する。
【０１４９】
一方、ステップＳ８７において、再生中の動画像がフォト動画像であると判定された場合、ステップＳ８９において、動画像表示制御部９３は、受光部２２から供給された制御信号に基づいて、リスト生成部９１により生成された表示リストの表示項目のうち、現在再生しているフォト動画像を示す表示項目の次の表示項目により示されるフォト動画像の再生を開始する。
【０１５０】
すなわち、動画像表示制御部９３は、再生しているフォト動画像を示す表示項目の次の表示項目により示されるフォト動画像を、記録部８１から取得して表示部２１に供給し、表示部２１にフォト動画像を表示させて、処理はステップＳ９４に進む。
【０１５１】
なお、より詳細には、表示リストに次の表示項目がない場合、つまり表示リストの最後の表示項目により示されるフォト動画像が再生されている場合、現在再生されているフォト動画像の再生が継続して行われる。
【０１５２】
また、表示リストの次の表示項目が、フォト動画像ではなく静止画像を示す表示項目である場合、静止画像の再生は静止画像表示制御部９２により行われるので、動画像表示制御部９３は、新たなフォト動画像の再生を行わず、処理はステップＳ９４に進み、再生中のフォト動画像の再生が停止され、静止画像表示制御部９２により静止画像の再生が行われる。
【０１５３】
さらに、ステップＳ８６において、下ボタン５３または次ボタン５７が操作されなかったと判定された場合、ステップＳ９０において、動画像表示制御部９３は、右ボタン５５が操作されたか否かを判定する。例えば、ユーザがリモートコマンダ１２の右ボタン５５を操作し、ユーザの操作に応じて受光部２２から動画像表示制御部９３に、右ボタン５５が操作された旨の制御信号が供給された場合、右ボタン５５が操作されたと判定される。
【０１５４】
ステップＳ９０において、右ボタン５５が操作されたと判定された場合、ステップＳ９１において、動画像表示制御部９３は、表示部２１を制御して、再生中の動画像を早送り再生させる。すなわち、動画像表示制御部９３は、再生中の動画像（ビデオ動画像またはフォト動画像）が早送り再生されるように、動画像の再生を制御し、処理はステップＳ９４に進む。
【０１５５】
一方、ステップＳ９０において、右ボタン５５が操作されなかったと判定された場合、ステップＳ９２において、動画像表示制御部９３は、左ボタン５４が操作されたか否かを判定する。例えば、ユーザがリモートコマンダ１２の左ボタン５４を操作し、ユーザの操作に応じて受光部２２から動画像表示制御部９３に、左ボタン５４が操作された旨の制御信号が供給された場合、左ボタン５４が操作されたと判定される。
【０１５６】
ステップＳ９２において、左ボタン５４が操作されたと判定された場合、ステップＳ９３において、動画像表示制御部９３は、表示部２１を制御して、再生中の動画像を早戻し再生させる。すなわち、動画像表示制御部９３は、再生中の動画像が早戻し再生されるように、動画像の再生を制御し、処理はステップＳ９４に進む。
【０１５７】
また、ステップＳ９２において、左ボタン５４が操作されなかったと判定された場合、処理はステップＳ９４に進む。
【０１５８】
ステップＳ８４、ステップＳ８５、ステップＳ８８、ステップＳ８９、ステップＳ９１、若しくはステップＳ９３において動画像の再生の制御が行われるか、またはステップＳ９２において、左ボタン５４が操作されなかったと判定されると、ステップＳ９４において、動画像表示制御部９３は、動画像の再生を終了するか否かを判定する。
【０１５９】
例えば、再生していた動画像を最後まで再生した場合、つまり動画像の再生が終了した場合、ユーザによりリモートコマンダ１２が操作され、動画像の再生の終了が指示された場合、フォト動画像の再生中にユーザにより上ボタン５２または前ボタン５６が操作され、表示リストにおける、再生中のフォト動画像を示す表示項目の１つ前の表示項目が静止画像を示している場合、またはフォト動画像の再生中にユーザにより下ボタン５３または次ボタン５７が操作され、表示リストにおける、再生中のフォト動画像を示す表示項目の次の表示項目が静止画像を示している場合、動画像の再生を終了すると判定される。
【０１６０】
ステップＳ９４において、動画像の再生を終了しないと判定された場合、動画像の再生が継続して行われ、処理はステップＳ８２に戻り、上述した処理が繰り返される。
【０１６１】
これに対して、ステップＳ９４において、動画像の再生を終了すると判定された場合、ステップＳ９５において、動画像表示制御部９３は、再生を終了する動画像が、フォト動画像であるか否かを判定する。例えば、静止画像表示制御部９２から動画像表示制御部９３に供給されたスライドショー情報に、スライドショー表示中であることを示す情報が含まれている場合、フォト動画像であると判定される。
【０１６２】
ステップＳ９５において、フォト動画像でないと判定された場合、動画像表示制御部９３は、動画像の再生を終了し、動画像再生処理は終了する。なお、より詳細には、動画像表示制御部９３は、再生の終了した動画像（ビデオ動画像）の最後のフレームの画像が表示部２１に表示された状態で、ビデオ動画像の再生を一時停止する。
【０１６３】
これに対して、ステップＳ９５において、フォト動画像であると判定された場合、ステップＳ９６において、動画像表示制御部９３は、表示リストの次の表示項目のフォト動画像を再生するか否かを判定する。
【０１６４】
例えば、ユーザによりフォト動画像の再生の終了が指示されておらず、表示リストにおける、再生を終了するフォト動画像を示す表示項目の次の表示項目が、フォト動画像を示す表示項目である場合、次の表示項目のフォト動画像を再生すると判定される。
【０１６５】
また、例えば、フォト動画像が最後まで再生され、表示リストにおける、再生を終了するフォト動画像を示す表示項目の次の表示項目が、静止画像を示す表示項目である場合、ユーザによりリモートコマンダ１２が操作され、フォト動画像の再生の終了が指示された場合、ユーザにより上ボタン５２または前ボタン５６が操作され、表示リストにおける、再生を終了するフォト動画像を示す表示項目の１つ前の表示項目が静止画像を示している場合、またはユーザにより下ボタン５３または次ボタン５７が操作され、表示リストにおける、再生を終了するフォト動画像を示す表示項目の次の表示項目が静止画像を示している場合、次の表示項目のフォト動画像を再生しないと判定される。
【０１６６】
ステップＳ９６において、次の表示項目のフォト動画像を再生すると判定された場合、動画像表示制御部９３は、再生していたフォト動画像の再生を終了させ、処理はステップＳ８１に戻り、次の表示項目により示されるフォト動画像の再生が開始される。
【０１６７】
これに対して、ステップＳ９６において、次の表示項目のフォト動画像を再生しないと判定された場合、動画像表示制御部９３は、再生していたフォト動画像の再生を終了させ、処理はステップＳ９７に進む。
【０１６８】
ステップＳ９７において、動画像表示制御部９３は、スライドショー情報を生成する。そして、動画像表示制御部９３は、生成したスライドショー情報を静止画像表示制御部９２に供給し、動画像再生処理は終了する。
【０１６９】
例えば、動画像表示制御部９３は、スライドショー情報の受け渡し元としての動画像表示制御部９３を示す受け渡し元情報、スライドショー表示中であることを示す情報、再生する表示項目として、次に再生される表示項目、つまり表示リストにおける、再生を終了したフォト動画像を示す表示項目の次の表示項目を示す表示項目情報、および入力する画像に関する設定を示す入力切替情報が含まれているスライドショー情報を生成する。
【０１７０】
また、ユーザによりフォト動画像の再生の終了が指示された場合、すなわちスライドショー表示の終了が指示された場合、動画像表示制御部９３は、スライドショー表示の終了が指示された旨の情報が含まれるスライドショー情報を生成する。
【０１７１】
このようにして、表示装置１１は動画像を再生し、動画像の再生中にユーザによりリモートコマンダ１２が操作された場合には、必要に応じて、再生中の動画像がフォト動画像であるか否かによって、異なる再生の制御を行う。
【０１７２】
例えば、フォト動画像の再生中、すなわちスライドショー表示中に、ユーザによりリモートコマンダ１２の上ボタン５２、下ボタン５３、前ボタン５６、または次ボタン５７が操作された場合、静止画像の再生時と同様の再生の制御がなされるようにすることで、静止画像とフォト動画像とを同じ操作体系で扱うことができ、スライドショー表示に適した再生の制御を行うことができる。
【０１７３】
これにより、ユーザは、スライドショー表示の対象となる画像として静止画像とフォト動画像とが混在している場合においても、簡単に再生の制御を指示することができる。例えば、ユーザは、フォト動画像の再生中においても、再生しているフォト動画像の次、または前の画像の再生を簡単に指示することができる。
【０１７４】
なお、以上においては、スライドショー表示する静止画像および動画像の表示リストを生成し、その表示リストに基づいて画像のスライドショー表示が行われると説明したが、表示リストを生成せずにスライドショー表示が行われるようにしてもよい。
【０１７５】
そのような場合、リスト生成部９１は、ユーザにより指定されたフォルダに格納されている、まだ選択されていない静止画像および動画像のうち、例えば、撮影日時の最も古い画像を選択し、選択した画像が静止画像であれば、静止画像表示制御部９２に、その静止画像の再生を指示して、静止画像表示制御部９２は、リスト生成部９１の指示に従い静止画像を再生する。また、リスト生成部９１は、選択した画像が予め定められた規格に準拠した動画像でない場合、その動画像を再生させずに次の画像を選択し、選択した画像が予め定められた規格に準拠した動画像である場合、動画像表示制御部９３にその動画像の再生を指示する。動画像表示制御部９３は、リスト生成部９１の指示に従い、動画像を再生させる。
【０１７６】
そして、静止画像またはフォト動画像の再生が終了すると、リスト生成部９１は、次の画像を選択して、静止画像表示制御部９２または動画像表示制御部９３に、静止画像または動画像の再生を指示し、フォルダに格納されている全ての画像が選択されるまで、画像を再生する処理が繰り返される。
【０１７７】
また、表示装置１１は、テレビジョン受像機に限らず、デジタルスチルカメラやデジタルビデオカメラなどの撮影装置、携帯電話機、パーソナルコンピュータなどの他の装置とすることができる。
【０１７８】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１７９】
図８は、上述した一連の処理をプログラムにより実行するパーソナルコンピュータの構成の例を示すブロック図である。CPU（Central Processing Unit）３０１は、ROM（Read Only Memory）３０２、または記録部３０８に記録されているプログラムに従って各種の処理を実行する。RAM（Random Access Memory）３０３には、CPU３０１が実行するプログラムやデータなどが適宜記憶される。これらのCPU３０１、ROM３０２、およびRAM３０３は、バス３０４により相互に接続されている。
【０１８０】
CPU３０１にはまた、バス３０４を介して入出力インターフェース３０５が接続されている。入出力インターフェース３０５には、キーボード、マウス、マイクロホンなどよりなる入力部３０６、ディスプレイ、スピーカなどよりなる出力部３０７が接続されている。CPU３０１は、入力部３０６から入力される指令に対応して各種の処理を実行する。そして、CPU３０１は、処理の結果を出力部３０７に出力する。
【０１８１】
入出力インターフェース３０５に接続されている記録部３０８は、例えばハードディスクからなり、CPU３０１が実行するプログラムや各種のデータを記録する。通信部３０９は、インターネットやローカルエリアネットワークなどのネットワークを介して外部の装置と通信する。
【０１８２】
また、通信部３０９を介してプログラムを取得し、記録部３０８に記録してもよい。
【０１８３】
入出力インターフェース３０５に接続されているドライブ３１０は、磁気ディスク、光ディスク、光磁気ディスク、或いは半導体メモリなどのリムーバブルメディア３３１が装着されたとき、それらを駆動し、そこに記録されているプログラムやデータなどを取得する。取得されたプログラムやデータは、必要に応じて記録部３０８に転送され、記録される。
【０１８４】
コンピュータにインストールされ、コンピュータによって実行可能な状態とされるプログラムを格納するプログラム記録媒体は、図８に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア３３１、または、プログラムが一時的もしくは永続的に格納されるROM３０２や、記録部３０８を構成するハードディスクなどにより構成される。プログラム記録媒体へのプログラムの格納は、必要に応じてルータ、モデムなどのインターフェースである通信部３０９を介して、ローカルエリアネットワーク、インターネット、デジタル衛星放送といった、有線または無線の通信媒体を利用して行われる。
【０１８５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１８６】
なお、本発明の実施の形態は、上述した実施の形態に限定されるものではなく、本発明の要旨を逸脱しない範囲において種々の変更が可能である。
【図面の簡単な説明】
【０１８７】
【図１】本発明を適用した表示装置の一実施の形態の外観の構成例を示す図である。
【図２】リモートコマンダに設けられたボタンを説明する図である。
【図３】動画像の再生中になされた操作に対して行われる処理を説明する図である。
【図４】表示装置の構成例を示すブロック図である。
【図５】スライドショー表示処理を説明するフローチャートである。
【図６】リスト生成処理を説明するフローチャートである。
【図７】動画像再生処理を説明するフローチャートである。
【図８】パーソナルコンピュータの構成を示すブロック図である。
【符号の説明】
【０１８８】
１１  表示装置，  １２  リモートコマンダ，  ２１  表示部２１，  ２２  受光部，  ８３  表示制御部，  ９１  リスト生成部，  ９２  静止画像表示制御部，  ９３  動画像表示制御部
【図１】
2008187470.tif 000003
【図２】
2008187470.tif 000004
【図３】
2008187470.tif 000005
【図４】
2008187470.tif 000006
【図５】
2008187470.tif 000007
【図６】
2008187470.tif 000008
【図７】
2008187470.tif 000009
【図８】
2008187470.tif 000010